(57)【特許請求の範囲】
【請求項１】
ユーザデータを送信する送信装置であって、
受信装置に対して、ＭＩＭＯ技術を用いることにより少なくとも４つの伝送路を設定するように構成された設定部と、
前記受信装置に送信すべきユーザデータを含むデータユニットであるユーザデータユニットを生成するように構成された第１生成部と、
前記受信装置に送信すべきユーザデータの誤り訂正に用いる誤り訂正データを含むデータユニットである誤り訂正データユニットを生成するように構成された第２生成部とを備え、
前記誤り訂正データは、前記受信装置に送信すべきユーザデータの誤り訂正に用いる第１誤り訂正データと、前記受信装置に送信すべきユーザデータの誤り訂正に用いる第２誤り訂正データとを含み、
前記第１誤り訂正データは、前記第２誤り訂正データとは異なる方式で生成され、
前記少なくとも４つの伝送路のうち、少なくとも２つの伝送路は、前記第１誤り訂正データを含む誤り訂正データユニットを搬送する伝送路と、前記第２誤り訂正データを含む誤り訂正データユニットを搬送する伝送路であり、
前記少なくとも４つの伝送路のうち、少なくとも２つ以上の伝送路は、前記ユーザデータユニットを搬送する伝送路であることを特徴とする送信装置。
【請求項２】
複数のデータユニットによって構成される集合データユニットを生成する第３生成部をさらに備え、
前記集合データユニットは、前記少なくとも４つの伝送路を介して前記受信装置に送信すべきデータの構成を示す構成データを含むことを特徴とする請求項１に記載の送信装置。
【請求項３】
前記誤り訂正データユニットを搬送する伝送路は、単位期間毎に変化せずに固定であることを特徴とする請求項１に記載の送信装置。
【請求項４】
前記誤り訂正データユニットを搬送する伝送路は単位期間毎に変化することを特徴とする請求項１に記載の送信装置。
【請求項５】
前記設定部は、複数の受信装置のそれぞれに対して、前記少なくとも４つの伝送路を設定し、
前記複数の受信装置のそれぞれに送信すべきユーザデータに適用される誤り訂正データ送信方法は、互いに異なることを特徴とする請求項１に記載の送信装置。
【請求項６】
前記設定部は、複数の受信装置のそれぞれに対して、前記少なくとも４つの伝送路を設定し、
前記複数の受信装置のそれぞれに設定される伝送路の数は、互いに異なることを特徴とする請求項１に記載の送信装置。
【請求項７】
前記設定部は、複数の受信装置のそれぞれに対して、前記少なくとも４つの伝送路を設定し、
前記複数の受信装置のそれぞれにおいて、前記誤り訂正データユニットを搬送する伝送路は、単位期間毎に変化せずに固定であることを特徴とする請求項１に記載の送信装置。
【請求項８】
前記設定部は、複数の受信装置のそれぞれに対して、前記少なくとも４つの伝送路を設定し、
前記複数の受信装置のそれぞれにおいて、前記誤り訂正データユニットを搬送する伝送路は、単位期間毎に変化することを特徴とする請求項１に記載の送信装置。
【請求項９】
前記設定部は、複数の受信装置のそれぞれに対して、前記少なくとも４つの伝送路を設定することを特徴とする請求項１に記載の送信装置。
【請求項１０】
ユーザデータを送信する送信方法であって、
受信装置に対して、ＭＩＭＯ技術を用いることにより少なくとも４つの伝送路を設定するステップＡと、
前記受信装置に送信すべきユーザデータを含むデータユニットであるユーザデータユニットを生成するステップＢと、
前記受信装置に送信すべきユーザデータの誤り訂正に用いる第１誤り訂正データと、該第１誤り訂正データとは異なる方式で生成される第２誤り訂正データとを含むデータユニットである誤り訂正データユニットを生成するステップＣとを備え、
前記少なくとも４つの伝送路のうち、少なくとも２つの伝送路は、前記第１誤り訂正データを含む誤り訂正データユニットを搬送する伝送路と、前記第２誤り訂正データを含む誤り訂正データユニットを搬送する伝送路であり、
前記少なくとも４つの伝送路のうち、少なくとも２つ以上の伝送路は、前記ユーザデータユニットを搬送する伝送路であることを特徴とする送信方法。
【発明の詳細な説明】
【技術分野】
【０００１】
本発明は、ユーザデータを送信する送信装置及び送信方法に関する。
【背景技術】
【０００２】
近年、伝送速度を増大する技術として、ＭＩＭＯ（Ｍｕｌｔｉｐｌｅ  Ｉｎｐｕｔ  Ｍｕｌｔｉｐｌｅ  Ｏｕｔｐｕｔ）技術が注目を集めている（例えば、非特許文献１）。具体的には、ＭＩＭＯ技術では、複数のアンテナのそれぞれから、互いに異なるデータをユーザ端末に送信することが可能である。従って、伝送容量の増大、伝送信頼性の向上を図ることができる。
【先行技術文献】
【非特許文献】
【０００３】
【非特許文献１】ＩＥＥＥ８０２．１１ｎ、「Ｐａｒｔ１１；Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎ」、２００９年１０月２９日
【発明の概要】
【発明が解決しようとする課題】
【０００４】
ところで、デッドスポットや伝送路の環境変化等によって、ユーザデータの送信又は受信に失敗して、ユーザデータの到達性が低下する可能性が考えられる。
【０００５】
ユーザデータの到達性を高める技術としては、ユーザデータの再送制御を行う技術、適応変調制御によってユーザデータの伝送速度を低下する技術などが知られている。
【０００６】
しかしながら、ユーザデータの再送制御では、再送遅延によってスループットが低下してしまい、適応変調制御では、伝送速度の低下によってスループットが低下してしまう。従って、ユーザデータの到達性を高める技術は、さらに改良の余地がある。
【０００７】
そこで、本発明は、上述した課題を解決するためになされたものであり、ユーザデータの到達性を高めることを可能とする送信装置及び送信方法を提供することを目的とする。
【課題を解決するための手段】
【０００８】
第１の特徴に係る送信装置（送信装置１０）は、ユーザデータを送信する。送信装置は、受信装置（受信装置２０）に対して、少なくとも３つの伝送路を設定するように構成された設定部（設定部１６）と、前記受信装置に送信すべきユーザデータを含むデータユニットであるユーザデータユニットを生成するように構成された第１生成部（ユーザデータユニット生成部１３）と、前記受信装置に送信すべきユーザデータの誤り訂正に用いる誤り訂正データを含むデータユニットである誤り訂正データユニットを生成するように構成された第２生成部（誤り訂正データユニット生成部１４）とを備える。前記少なくとも３つの伝送路のうち、少なくとも１つの伝送路は、前記誤り訂正データユニットを搬送する伝送路である。前記少なくとも３つの伝送路のうち、少なくとも２つ以上の伝送路は、前記ユーザデータユニットを搬送する伝送路である。
【０００９】
第１の特徴において、送信装置は、複数のデータユニットによって構成される集合データユニットを生成する第３生成部（集合データユニット生成部１５）をさらに備える。前記集合データユニットは、前記少なくとも３つの伝送路を介して前記受信装置に送信すべきデータの構成を示す構成データを含む。
【００１０】
第１の特徴において、前記誤り訂正データユニットを搬送する伝送路は単位期間毎に変化せずに固定である。
【００１１】
第１の特徴において、前記誤り訂正データユニットを搬送する伝送路は単位期間毎に変化する。
【００１２】
第１の特徴において、前記誤り訂正データは、前記受信装置に送信すべきユーザデータの誤り訂正に用いる第１誤り訂正データと、前記受信装置に送信すべきユーザデータの誤り訂正に用いる第２誤り訂正データとを含む。前記誤り訂正データユニットを搬送する伝送路は、前記第１誤り訂正データを含む誤り訂正データユニットを搬送する伝送路と、前記第２誤り訂正データを含む誤り訂正データユニットを搬送する伝送路とを含む。前記第１誤り訂正データは、前記第２誤り訂正データとは異なる方式で生成される。
【００１３】
第１の特徴において、前記設定部は、複数の受信装置のそれぞれに対して、前記少なくとも３つの伝送路を設定する。前記複数の受信装置のそれぞれに送信すべきユーザデータに適用される誤り訂正データ送信方法は、互いに異なる。
【００１４】
第２の特徴に係る送信方法は、ユーザデータを送信する方法である。送信方法は、受信装置に対して、少なくとも３つの伝送路を設定するステップＡと、前記受信装置に送信すべきユーザデータを含むデータユニットであるユーザデータユニットを生成するステップＢと、前記受信装置に送信すべきユーザデータの誤り訂正に用いる誤り訂正データを含むデータユニットである誤り訂正データユニットを生成するステップＣとを備える。前記少なくとも３つの伝送路のうち、少なくとも１つの伝送路は、前記誤り訂正データユニットを搬送する伝送路である。前記少なくとも３つの伝送路のうち、少なくとも２つ以上の伝送路は、前記ユーザデータユニットを搬送する伝送路である。
【発明の効果】
【００１５】
本発明によれば、ユーザデータの到達性を高めることを可能とする送信装置及び送信方法を提供することができる。
【図面の簡単な説明】
【００１６】
【図１】図１は、第１実施形態に係るネットワークの構成を示す図である。
【図２】図２は、第１実施形態に係る送信装置１０を示すブロック図である。
【図３】図３は、第１実施形態に係るメッセージフォーマットを示す図である。
【図４】図４は、第１実施形態に係る第１データ送信例を示す図である。
【図５】図５は、第１実施形態に係る第２データ送信例を示す図である。
【図６】図６は、第１実施形態に係る第３データ送信例を示す図である。
【図７】図７は、変更例１に係るネットワークの構成を示す図である。
【発明を実施するための形態】
【００１７】
以下において、本発明の実施形態に係る送信装置について、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
実施形態に係る送信装置は、ユーザデータを送信する。送信装置は、受信装置に対して、少なくとも３つの伝送路を設定するように構成された設定部と、受信装置に送信すべきユーザデータを含むデータユニットであるユーザデータユニットを生成するように構成された第１生成部と、受信装置に送信すべきユーザデータの誤り訂正に用いる誤り訂正データを含むデータユニットである誤り訂正データユニットを生成するように構成された第２生成部とを備える。少なくとも３つの伝送路のうち、少なくとも１つの伝送路は、誤り訂正データユニットを搬送する伝送路である。少なくとも３つの伝送路のうち、少なくとも２つ以上の伝送路は、ユーザデータユニットを搬送する伝送路である。
【００２０】
実施形態では、送信装置は、少なくとも３つの伝送路のうち、少なくとも１つの伝送路を介して、誤り訂正データユニットを送信する。これによって、ユーザデータの到達性が高まる。
【００２１】
また、送信装置は、少なくとも３つの伝送路のうち、少なくとも２つ以上の伝送路を介して、ユーザデータユニットを送信する。従って、誤り訂正データユニットを搬送する伝送路を導入しても、ユーザデータの伝送速度の著しい低下を抑制することができる。
【００２２】
［第１実施形態］
（ネットワークの構成）
以下において、第１実施形態に係るネットワークの構成について、図面を参照しながら説明する。図１は、第１実施形態に係るネットワークの構成を示す図である。
【００２３】
図１に示すように、ネットッワークは、送信装置１０と、受信装置２０とを有する。送信装置１０は、ユーザデータを受信装置２０に送信するように構成される。なお、送信装置１０は、複数のアンテナ１１（アンテナ１１Ａ〜アンテナ１１Ｃ）を有する。受信装置２０は、複数のアンテナ２１（アンテナ２１Ａ〜アンテナ２１Ｃ）を有する。
【００２４】
ここで、第１実施形態では、MIMO（Ｍｕｌｔｉｐｌｅ  Ｉｎｐｕｔ  Ｍｕｌｔｉｐｌｅ  Ｏｕｔｐｕｔ）技術が用いられる。具体的には、送信装置１０の複数のアンテナ１１のそれぞれは、受信装置２０の複数のアンテナ２１のそれぞれにデータを送信する。例えば、アンテナ１１Ａとアンテナ２１Ａとの間に伝送路＃１が設定され、アンテナ１１Ｂとアンテナ２１Ｂとの間に伝送路＃２が設定され、アンテナ１１Ｃとアンテナ２１Ｃとの間に伝送路＃３が設定される。
【００２５】
（送信装置の構成）
以下において、第１実施形態に係る送信装置１０を示すブロック図である。図２は、第１実施形態に係る送信装置１０を示すブロック図である。なお、第１実施形態では、ＭＡＣ（Ｍｅｄｉａ  Ａｃｃｅｓｓ  Ｃｏｎｔｒｏｌ）レイヤについて主として説明する。
【００２６】
図２に示すように、送信装置１０は、複数のアンテナ１１（アンテナ１１Ａ〜アンテナ１１Ｃ）と、上位レイヤ処理部１２と、ユーザデータユニット生成部１３と、誤り訂正データユニット生成部１４と、集合データユニット生成部１５と、設定部１６と、送信部１７とを有する。
【００２７】
上位レイヤ処理部１２は、ＭＡＣレイヤよりも上位に設けられる上位レイヤ（例えば、ＬＬＣ（Ｌｏｇｉｃａｌ  Ｌｉｎｋ  Ｃｏｎｔｒｏｌ）レイヤ）のデータを処理する。上位レイヤ処理部１２は、ユーザデータを含むサービスデータユニットをユーザデータユニット生成部１３に出力する。サービスデータユニットは、例えば、ＭＳＤＵ（ＭＡＣ  Ｓｅｒｖｉｃｅ  Ｄａｔａ  Ｕｎｉｔ）である。
【００２８】
ユーザデータユニット生成部１３は、サービスデータユニットを再構成して、ユーザデータを含むプロトコルデータユニット（以下、ユーザデータユニット）を生成する。ユーザデータユニット生成部１３は、例えば、ＭＡＣレイヤのデータを処理する。プロトコルデータユニットは、例えば、ＭＰＤＵ（ＭＡＣ  Ｐｒｏｔｏｃｏｌ  Ｄａｔａ  Ｕｎｉｔ）である。
【００２９】
ここで、ユーザデータユニット生成部１３は、送信装置１０と受信装置２０との間に設定される伝送路のうち、ユーザデータユニットを搬送する伝送路の数に応じて、少なくとも２系統以上のユーザデータユニットを生成する。
【００３０】
誤り訂正データユニット生成部１４は、ユーザデータの誤り訂正に用いる誤り訂正データを含むプロトコルデータユニット（以下、誤り訂正データユニット）を生成する。誤り訂正データユニット生成部１４は、例えば、ＭＡＣレイヤのデータを処理する。プロトコルデータユニットは、例えば、ＭＰＤＵ（ＭＡＣ  Ｐｒｏｔｏｃｏｌ  Ｄａｔａ  Ｕｎｉｔ）である。
【００３１】
ここで、ユーザデータユニット生成部１３は、送信装置１０と受信装置２０との間に設定される伝送路のうち、誤り訂正データユニットを搬送する伝送路の数に応じて、１系統以上の誤り訂正データユニットを生成する。
【００３２】
なお、誤り訂正データは、例えば、２系統以上のユーザデータユニットを構成するビットの排他的論理和（パリティデータ）であってもよい。また、誤り訂正データは、２系統以上のユーザデータユニット毎にハミング符号やリードソロモン符号によって生成された誤り訂正符号を構成するビットの排他的論理和（パリティデータ）であってもよい。なお、パリティデータは、水平パリティデータであってもよく、垂直パリティデータであってもよく、対角パリティデータであってもよい。
【００３３】
集合データユニット生成部１５は、複数のプロトコルデータユニットによって構成される集合データユニットを生成する。具体的には、集合データユニット生成部１５は、送信装置１０と受信装置２０との間に設定される伝送路毎に、複数系統の集合データユニットを生成する。集合データユニット生成部１５は、例えば、ＭＡＣレイヤのデータを処理する。集合データユニットは、例えば、Ａ−ＭＰＤＵ（Ａｇｇｒｅｇａｔｉｏｎ  ＭＡＣ  Ｐｒｏｔｏｃｏｌ  Ｄａｔａ  Ｕｎｉｔ）である。
【００３４】
ここで、集合データユニット生成部１５は、１つの伝送路を介して搬送すべき複数のプロトコルデータユニットを用いて、１つの伝送路を介して搬送すべき集合データユニットを生成する。言い換えると、集合データユニット生成部１５は、誤り訂正データユニットを含まずに、ユーザデータユニットを含む集合データユニットを生成する。或いは、集合データユニット生成部１５は、ユーザデータユニットを含まずに、誤り訂正データユニットを含む集合データユニットを生成する。
【００３５】
第１実施形態では、集合データユニット生成部１５は、複数の伝送路を介して１つの受信装置２０に対して送信すべきデータの構成を示す構成データを集合データユニットに挿入する。例えば、集合データユニット生成部１５は、構成データを含むプロトコルデータユニット（ＭＰＤＵ）を新たに生成して、構成データを含むプロトコルデータユニットを集合データユニットに挿入する。
【００３６】
ここで、構成データは、例えば、（１）１つの受信装置２０に対して設定される複数の伝送路は、誤り訂正データユニットを搬送する伝送路を含むか否かを示すデータ、（２）集合データユニットがユーザデータユニット及び誤り訂正データユニットのいずれを含むかを示すデータ、（３）１つの受信装置２０に対して設定される伝送路の総数、（４）１つの受信装置２０に対して設定される複数の伝送路のうち、構成データを搬送する伝送路を識別するデータ、（５）構成データを含む集合データユニットにおいて、ユーザデータユニットのデータ長を示すデータ、（６）上述した（２）及び（３）に加えて、ユーザデータユニットを搬送する伝送路の数、（７）上述した（２）及び（３）に加えて、誤り訂正データユニットを搬送する伝送路の数、（８）誤り訂正データユニットを搬送する伝送路が固定であるか否か（言い換えると、誤り訂正データユニットを搬送する伝送路が分散されているか否か）、（９）誤り訂正データユニットを搬送する伝送路が分散される場合において、誤り訂正データユニットを搬送する伝送路を切り替える単位時間、（１０）誤り訂正データユニットを搬送する伝送路が分散される場合において、誤り訂正データユニットを搬送する伝送路を切り替える単位ＭＰＤＵ数（例えば、ユーザデータユニットのシーケンス制御（番号）の増分）、（１１）誤り訂正データユニットを搬送する伝送路が分散される場合において、誤り訂正データユニットを搬送する伝送路を切り替える単位Ａ−ＭＰＤＵ数、（１２）誤り訂正データユニットに含まれる誤り訂正データの種別（例えば、パリティ種別）、（１３）上述した（１０）に加えて、誤り訂正データユニットによって訂正されるべきユーザデータユニットのシーケンス制御（番号）、（１４）誤り訂正データユニットを搬送する伝送路が分散される場合において、誤り訂正データユニットを搬送する伝送路の切り替え順序（例えば、伝送路＃１→伝送路＃２→伝送路＃３→伝送路＃１など）などである。
【００３７】
設定部１６は、１つの受信装置２０に対して、少なくとも３つの伝送路を設定する。なお、１つの受信装置２０に対して設定可能な伝送路の数は、送信装置１０及び受信装置２０に設けられるアンテナの数に依存することは勿論である。
【００３８】
送信部１７は、集合データユニット生成部１５によって生成された集合データユニットを送信する。具体的には、送信部１７は、各アンテナ１１を用いて、アンテナ１１（伝送路）毎に生成された集合データユニットを送信する。
【００３９】
ここで、送信部１７は、誤り訂正データユニットを搬送する伝送路を単位期間毎に変化せずに固定してもよい。或いは、送信部１７は、誤り訂正データユニットを搬送する伝送路を単位期間毎に変化させてもよい。
【００４０】
単位期間は、例えば、１つのデータユニットの送信に必要な時間であってもよく、１つの集合データユニットの送信に必要な時間であってもよい。或いは、単位期間は、例えば、複数のデータユニットの送信に必要な時間であってもよく、複数の集合データユニットの送信に必要な時間であってもよい。
【００４１】
また、送信部１７は、複数の伝送路を介して誤り訂正データユニットを送信してもよい。具体的には、誤り訂正データユニットを搬送する伝送路は、第１誤り訂正データを含む誤り訂正データユニットを搬送する伝送路と、第２誤り訂正データを含む誤り訂正データユニットを搬送する伝送路とを含んでもよい。
【００４２】
第１誤り訂正データは、第２誤り訂正データとは異なる方式で生成される。例えば、第１誤り訂正データは、２系統以上のユーザデータユニットを構成するビットの排他的論理和（垂直パリティデータ）であってもよい。第２誤り訂正データは、２系統以上のユーザデータユニットを構成するビットの排他的論理和（水平パリティデータ）であってもよい。
【００４３】
（メッセージフォーマット）
以下において、第１実施形態に係るメッセージフォーマットについて、図面を参照しながら説明する。図３は、第１実施形態に係るメッセージフォーマットを示す図である。ここで、図３では、データユニット（ユーザデータユニット或いは誤り訂正データユニット）としてＭＰＤＵを例示し、集合データユニットとして、Ａ−ＭＰＤＵを例示する。
【００４４】
図３に示すように、Ａ−ＭＰＤＵは、複数のＭＰＤＵによって構成される。Ａ−ＭＰＤＵは、ＣＲＣ、ＭＰＤＵヘッダ、ＭＰＤＵペイロード、ＦＣＳ、ＰＡＤを含む。ＣＲＣ、ＭＰＤＵヘッダ、ＭＰＤＵペイロード、ＦＣＳ、ＰＡＤは、１フレームを構成する。
【００４５】
ＣＲＣ（Ｃｙｃｌｉｃ  Ｒｅｄｕｎｄａｎｃｙ  Ｃｈｅｃｋ）は、１フレームの誤り検出に用いるビット列である。
【００４６】
ＭＰＤＵヘッダは、ＭＰＤＵのヘッダである。ＭＰＤＵヘッダは、フレーム制御、デュレーション、アドレス、シーケンス制御、ＱｏＳ制御などを含む。フレーム制御は、ＭＰＤＵペイロードに含まれるサブフレームの構成を示すフィールドである。デュレーションは、ＭＰＤＵの搬送に必要な予測時間を示すフィールドである。アドレスは、ＭＰＤＵの宛先を示すフィールドである。シーケンス制御は、ＭＰＤＵの順序を示すフィールドである。ＱｏＳ制御は、ＭＰＤＵに要求される品質を示すフィールドである。
【００４７】
ＭＰＤＵペイロードは、ユーザデータ或いは誤り訂正データを含む。例えば、Ａ−ＭＰＤＵがユーザデータユニットを含む場合には、ＭＰＤＵペイロードにはユーザデータが含まれる。Ａ−ＭＰＤＵが誤り訂正データユニットを含む場合には、ＭＰＤＵペイロードには誤り訂正データが含まれる。
【００４８】
ＦＣＳ（Ｆｒａｍｅ  Ｃｈｅｃｋ  Ｓｅｑｕｅｎｃｅ）は、１フレームの誤り検出及び誤り検出に用いるビット列である。
【００４９】
ＰＡＤ（Ｐａｄｄｉｎｇ  Ｄａｔａ）は、１フレームに含まれるデータ長を調整するためのビット列である。例えば、ＰＡＤは、１フレーム長が整数バイトとなるように、データの不足を調整するためのビット列である。
【００５０】
なお、第１実施形態では、Ａ−ＭＰＤＵを構成する複数のＭＰＤＵのうち、１つのＭＰＤＵのＭＰＤＵペイロードは、構成データを含むことに留意すべきっである。なお、構成データは、複数のＭＰＤＵのＭＰＤＵペイロードに含まれてもよい。
【００５１】
（第１データ送信例）
以下において、第１実施形態に係る第１データ送信例について、図面を参照しながら説明する。図４は、第１実施形態に係る第１データ送信例を示す図である。ここでは、１つの受信装置２０に対して、３つの伝送路（伝送路＃１〜伝送路＃３）が設定される。
【００５２】
伝送路＃１及び伝送路＃２は、ユーザデータユニットを搬送する伝送路である。伝送路＃３は、誤り訂正データユニットを搬送する伝送路である。第１データ送信例では、誤り訂正データユニットを搬送する伝送路は単位期間毎に変化せずに固定である。
【００５３】
例えば、単位期間Ｔ１において、伝送路＃１を介してユーザデータユニットＡが送信され、伝送路＃２を介してユーザデータユニットＢが送信される。一方で、伝送路＃３を介して誤り訂正データユニットＰＡ，Ｂが送信される。誤り訂正データユニットＰＡ，Ｂは、例えば、ユーザデータユニットＡ及びユーザデータユニットＢの排他的論理和（パリティデータ）を含む。
【００５４】
（第２データ送信例）
以下において、第１実施形態に係る第２データ送信例について、図面を参照しながら説明する。図５は、第１実施形態に係る第２データ送信例を示す図である。ここでは、１つの受信装置２０に対して、３つの伝送路（伝送路＃１〜伝送路＃３）が設定される。
【００５５】
伝送路＃１〜伝送路＃３は、ユーザデータユニット或いは誤り訂正データユニットを搬送する伝送路である。第２データ送信例では、誤り訂正データユニットを搬送する伝送路は単位期間毎に変化する。
【００５６】
例えば、単位期間Ｔ１において、伝送路＃３を介して誤り訂正データユニットＰＡ，Ｂが送信される。単位期間Ｔ２において、伝送路＃２を介して誤り訂正データユニットＰＣ，Ｄが送信される。単位期間Ｔ３において、伝送路＃１を介して誤り訂正データユニットＰＥ，Ｆが送信される。
【００５７】
（第３データ送信例）
以下において、第１実施形態に係る第３データ送信例について、図面を参照しながら説明する。図６は、第１実施形態に係る第３データ送信例を示す図である。ここでは、１つの受信装置２０に対して、５つの伝送路（伝送路＃１〜伝送路＃５）が設定される。
【００５８】
伝送路＃１〜伝送路＃５は、ユーザデータユニット或いは誤り訂正データユニットを搬送する伝送路である。第３データ送信例では、第２データ送信例と同様に、誤り訂正データユニットを搬送する伝送路は可変的である。具体的には、誤り訂正データユニットを搬送する伝送路が単位期間毎に変化する。
【００５９】
ここで、第３データ送信例では、誤り訂正データユニットを搬送する伝送路として、２つの伝送路が用いられる。
【００６０】
例えば、単位期間Ｔ１において、伝送路＃４を介して誤り訂正データユニットＰＶＡ，Ｂ，Ｃが送信され、伝送路＃５を介して誤り訂正データユニットＰＨＡ，Ｂ，Ｃが送信される。
【００６１】
誤り訂正データユニットＰＶＡ，Ｂ，Ｃは、例えば、ユーザデータユニットＡ及びユーザデータユニットＢの排他的論理和（第１誤り訂正データ）を含む。誤り訂正データユニットＰＨＡ，Ｂ，Ｃは、例えば、ユーザデータユニットＡ及びユーザデータユニットＢの排他的論理和（第２誤り訂正データ）を含む。
【００６２】
なお、第１誤り訂正データは、第２誤り訂正データとは異なる方式で生成されることに留意すべきである。例えば、第１誤り訂正データは、垂直パリティデータであり、第２誤り訂正データは、水平パリティデータである。
【００６３】
［変更例１］
以下において、第１実施形態の変更例1について、図面を参照しながら説明する。以下においては、第１実施形態に対する相違点について主として説明する。
【００６４】
具体的には、変更例１では、送信装置１０は、ユーザデータを複数の受信装置２０（ここでは、受信装置２０Ａ及び受信装置２０Ｂ）に送信するように構成される。なお、送信装置１０は、複数のアンテナ１１（アンテナ１１Ａ〜アンテナ１１Ｇ）を有する。受信装置２０Ａは、複数のアンテナ２１（アンテナ２１Ａ〜アンテナ２１Ｄ）を有する。受信装置２０Ｂは、複数のアンテナ２１（アンテナ２１Ｅ〜アンテナ２１Ｇ）を有する。
【００６５】
例えば、送信装置１０と受信装置２０Ａとの間においては、アンテナ１１Ａとアンテナ２１Ａとの間に伝送路＃１が設定され、アンテナ１１Ｂとアンテナ２１Ｂとの間に伝送路＃２が設定され、アンテナ１１Ｃとアンテナ２１Ｃとの間に伝送路＃３が設定され、アンテナ１１Ｄとアンテナ２１Ｄとの間に伝送路＃４が設定される。一方で、送信装置１０と受信装置２０Ｂとの間においては、アンテナ１１Ｅとアンテナ２１Ｅとの間に伝送路＃５が設定され、アンテナ１１Ｆとアンテナ２１Ｆとの間に伝送路＃６が設定され、アンテナ１１Ｇとアンテナ２１Ｇとの間に伝送路＃７が設定される。
【００６６】
ここで、送信装置１０は、伝送路＃１〜伝送路＃４を用いて、上述した第１データ送信例〜第３データ送信例によって、ユーザデータを受信装置２０Ａに送信する。また、送信装置１０は、伝送路＃５〜伝送路＃７を用いて、上述した第１データ送信例〜第３データ送信例によって、ユーザデータを受信装置２０Ｂに送信する。
【００６７】
受信装置２０Ａに送信するユーザデータに適用されるデータ送信方法（誤り訂正データ送信方法）は、受信装置２０Ｂに送信するユーザデータに適用されるデータ送信方法（誤り訂正データ送信方法）と異なっていてもよい。
【００６８】
このように、送信装置１０は、複数の受信装置２０にユーザデータを送信してもよい。また、送信装置１０と各受信装置２０との間に設定される伝送路の数は異なっていてもよい。さらに、送信装置１０から各受信装置２０に送信されるユーザデータに適用されるデータ送信方法（誤り訂正データ送信方法）は異なっていてもよい。
【００６９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７０】
実施形態では、主として、ＭＡＣレイヤの処理について説明した。しかしながら、実施形態は、これに限定されるものではない。具体的には、実施形態は、他のレイヤ（ＬＬＣレイヤなど）の処理に適用することも可能である。
【００７１】
実施形態では、ユーザデータユニットとして、ＭＰＤＵを例示した。しかしながら、実施形態は、これに限定されるものではない。具体的には、ユーザデータユニットは、他のレイヤ（ＬＬＣレイヤなど）のプロトコルデータユニットであってもよい。
【符号の説明】
【００７２】
１０…送信装置、１１…アンテナ、１２…上位レイヤ処理部、１３…ユーザデータユニット生成部、１４…誤り訂正データユニット生成部、１５…集合データユニット生成部、１６…設定部、１７…送信部、２０…受信装置、２１…アンテナ
【図１】
0005296748.tif 000002
【図２】
0005296748.tif 000003
【図３】
0005296748.tif 000004
【図４】
0005296748.tif 000005
【図５】
0005296748.tif 000006
【図６】
0005296748.tif 000007
【図７】
0005296748.tif 000008